(57)【要約】【課題】信号波形の表示スペースを広く確保しつつ信号波形のスクロール表示の際の操作性を向上する。【解決手段】操作部１４に対するジョグ操作およびシャトル操作によって指定されたスクロール量でのスクロール表示を表示部１３に行わせるスクロール処理を実行する表示制御部を備え、表示制御部は、操作部１４のタッチパネル２８に指先５０を接触させて移動させる接触移動操作としての第１操作が行われた後に指先５０を回転移動させる接触移動操作としての第２操作が行われたときにジョグ操作が行われたとして第２操作における指先５０の移動量に応じたスクロール量でのスクロール処理を実行し、接触移動操作としての第３操作が行われた後に指先５０をスライド移動させて停止させる接触移動操作としての第４操作が行われたときにシャトル操作が行われたとして第４操作におけるスライド移動の停止の時間長に応じたスクロール量でのスクロール処理を実行する。【選択図】図４
2012141158.tif 000002
【特許請求の範囲】
【請求項１】
回転操作における回転量でスクロール表示の際のスクロール量を指定するジョグ操作、および初期位置から離間するようにスライドさせた位置で停止させる操作における停止時間長でスクロール表示の際のスクロール量を指定するシャトル操作が可能な操作部と、当該操作部に対する前記ジョグ操作および前記シャトル操作によって指定された前記スクロール量による電気信号の信号波形のスクロール表示を表示部に行わせるスクロール処理を実行する表示制御部とを備えた測定装置であって、
前記操作部は、接触体を操作面に接触させた状態で移動させる接触移動操作によって前記ジョグ操作および前記シャトル操作が可能な操作パネルを備えて構成され、
前記表示制御部は、前記接触移動操作として予め決められた操作であって前記ジョグ操作の開始を示す第１操作が行われた後に前記接触体を回転移動させる前記接触移動操作としての第２操作が行われたときに当該ジョグ操作が行われたとして当該第２操作における当該接触体の移動量を前記回転量として前記スクロール処理を実行すると共に、前記接触移動操作として予め決められた操作であって前記シャトル操作の開始を示す第３操作が行われた後に前記接触体をスライド移動させて前記操作面への接触を維持したまま当該スライド移動を停止させる前記接触移動操作としての第４操作が行われたときに当該シャトル操作が行われたとして当該第４操作における当該スライド移動を停止している時間長を前記停止時間長として前記スクロール処理を実行する測定装置。
【請求項２】
前記表示制御部は、前記表示部の横方向に沿った前記信号波形のスクロール表示を行わせる旨を指示する前記接触移動操作としての第５操作、および前記表示部の縦方向に沿った前記信号波形をスクロール表示を行わせる旨を指示する前記接触移動操作としての第６操作のいずれか一方が前記第１操作の前または前記第３操作の前に行われたときに、当該一方の操作に従って前記スクロール処理を実行する請求項１記載の測定装置。
【請求項３】
前記表示制御部は、前記第２操作における回転移動の向きに応じて前記スクロール表示におけるスクロールの向きを決定する請求項１または２記載の測定装置。
【請求項４】
前記表示制御部は、前記第４操作におけるスライド移動の向きに応じて前記スクロール表示におけるスクロールの向きを決定する請求項１から３のいずれかに記載の測定装置。
【請求項５】
前記表示制御部は、前記第２操作における回転移動の移動軌跡の曲率半径が大きいほど速い速度での前記信号波形のスクロール表示を行わせる請求項１から４のいずれかに記載の測定装置。
【請求項６】
前記表示制御部は、前記第２操作における前記回転移動の速度が速いほど速い速度での前記信号波形のスクロール表示を行わせる請求項１から５のいずれかに記載の測定装置。
【請求項７】
前記表示制御部は、前記第４操作におけるスライド移動の移動量が多いほど速い速度での前記信号波形のスクロール表示を行わせる請求項１から６のいずれかに記載の測定装置。
【請求項８】
回転操作における回転量でスクロール表示の際のスクロール量を指定するジョグ操作、および初期位置から離間するようにスライドさせた位置で停止させる操作における停止時間長でスクロール表示の際のスクロール量を指定するシャトル操作によって指定された前記スクロール量による電気信号の信号波形のスクロール表示を表示部に行わせるスクロール処理を実行するスクロール表示方法であって、
操作パネルの操作面に接触体を接触させた状態で移動させる接触移動操作として予め決められた操作であって前記ジョグ操作の開始を示す第１操作が行われた後に前記接触体を回転移動させる当該接触移動操作としての第２操作が行われたときに当該ジョグ操作が行われたとして当該第２操作における当該接触体の移動量を前記回転量として前記スクロール処理を実行すると共に、前記接触移動操作として予め決められた操作であって前記シャトル操作の開始を示す第３操作が行われた後に前記接触体をスライド移動させて前記操作面への接触を維持したまま当該スライド移動を停止させる前記接触移動操作としての第４操作が行われたときに当該シャトル操作が行われたとして当該第４操作における当該スライド移動を停止している時間長を前記停止時間長として前記スクロール処理を実行するスクロール表示方法。
【発明の詳細な説明】
【技術分野】
【０００１】
本発明は、ジョグ操作やシャトル操作によって指定されたスクロール量による信号波形のスクロール表示を表示部に行わせる測定装置およびスクロール表示方法に関するものである。
【背景技術】
【０００２】
この種の装置として、特開２００９−２５７９２７号公報に開示された波形観測装置が知られている。この波形観測装置は、計測ユニット、マイコンおよびモニタなどを備え、計測ユニットから送信される計測データに基づく波形チャートをモニタに表示可能に構成されている。また、この波形観測装置では、モニタに表示される三角形の画像（スクロール方向表示）をタッチしたときに、波形チャートが右方向または左方向にスクロール表示される。この場合、三角形の画像をタッチし続けることで、計測データが存在する限りスクロール表示が継続される。また、この波形観測装置では、モニタにおける波形チャートの表示領域において、指先をモニタにタッチさせた状態でｘ軸方向（右向き、または左向き）にスライド操作することで、指先のスライド方向と同じ方向に指先のスライド速度と同じ速度で（つまり、スライド操作に応じて）波形チャートがスクロール表示される。
【先行技術文献】
【特許文献】
【０００３】
【特許文献１】特開２００９−２５７９２７号公報（第４−６頁、第４−５図）
【発明の概要】
【発明が解決しようとする課題】
【０００４】
ところが、上記の波形観測装置には、以下の問題点がある。すなわち、この波形観測装置では、モニタに表示される三角形の画像をタッチしたときに波形チャートがスクロール表示され、また、指先をモニタにタッチさせた状態でｘ軸方向にスライド操作したときに波形チャートがスクロール表示される。しかしながら、この構成では、三角形の画像を表示させる分だけ波形チャートの表示スペースが狭くなるため、特にモニタが小型のときには、波形チャートの表示が制約されるという問題点が存在する。また、この構成では、例えば、モニタの左側から右端部まで指をスライドさせた状態において所望の位置までスクロールされていない（スクロール量が足りない）ときには、モニタから指を離して左側に移動させ、再び指先をモニタにタッチさせて右側にスライドさせる操作を繰り返す必要がある。このような操作は、操作性が悪く、また、このような操作では、波形チャートが連続的にスクロール表示されないため、波形チャートが把握し難くなるという問題点も存在する。
【０００５】
本発明は、かかる問題点に鑑みてなされたものであり、信号波形の表示スペースを広く確保しつつ信号波形のスクロール表示を行わせる際の操作性を向上し得る測定装置およびスクロール表示方法を提供することを主目的とする。
【課題を解決するための手段】
【０００６】
上記目的を達成すべく請求項１記載の測定装置は、回転操作における回転量でスクロール表示の際のスクロール量を指定するジョグ操作、および初期位置から離間するようにスライドさせた位置で停止させる操作における停止時間長でスクロール表示の際のスクロール量を指定するシャトル操作が可能な操作部と、当該操作部に対する前記ジョグ操作および前記シャトル操作によって指定された前記スクロール量による電気信号の信号波形のスクロール表示を表示部に行わせるスクロール処理を実行する表示制御部とを備えた測定装置であって、前記操作部は、接触体を操作面に接触させた状態で移動させる接触移動操作によって前記ジョグ操作および前記シャトル操作が可能な操作パネルを備えて構成され、前記表示制御部は、前記接触移動操作として予め決められた操作であって前記ジョグ操作の開始を示す第１操作が行われた後に前記接触体を回転移動させる前記接触移動操作としての第２操作が行われたときに当該ジョグ操作が行われたとして当該第２操作における当該接触体の移動量を前記回転量として前記スクロール処理を実行すると共に、前記接触移動操作として予め決められた操作であって前記シャトル操作の開始を示す第３操作が行われた後に前記接触体をスライド移動させて前記操作面への接触を維持したまま当該スライド移動を停止させる前記接触移動操作としての第４操作が行われたときに当該シャトル操作が行われたとして当該第４操作における当該スライド移動を停止している時間長を前記停止時間長として前記スクロール処理を実行する。
【０００７】
また、請求項２記載の測定装置は、請求項１記載の測定装置において、前記表示制御部は、前記表示部の横方向に沿った前記信号波形のスクロール表示を行わせる旨を指示する前記接触移動操作としての第５操作、および前記表示部の縦方向に沿った前記信号波形をスクロール表示を行わせる旨を指示する前記接触移動操作としての第６操作のいずれか一方が前記第１操作の前または前記第３操作の前に行われたときに、当該一方の操作に従って前記スクロール処理を実行する。
【０００８】
また、請求項３記載の測定装置は、請求項１または２記載の測定装置において、前記表示制御部は、前記第２操作における回転移動の向きに応じて前記スクロール表示におけるスクロールの向きを決定する。
【０００９】
また、請求項４記載の測定装置は、請求項１から３のいずれかに記載の測定装置において、前記表示制御部は、前記第４操作におけるスライド移動の向きに応じて前記スクロール表示におけるスクロールの向きを決定する。
【００１０】
また、請求項５記載の測定装置は、請求項１から４のいずれかに記載の測定装置において、前記表示制御部は、前記第２操作における回転移動の移動軌跡の曲率半径が大きいほど速い速度での前記信号波形のスクロール表示を行わせる。
【００１１】
また、請求項６記載の測定装置は、請求項１から５のいずれかに記載の測定装置において、前記表示制御部は、前記第２操作における前記回転移動の速度が速いほど速い速度での前記信号波形のスクロール表示を行わせる。
【００１２】
また、請求項７記載の測定装置は、請求項１から６のいずれかに記載の測定装置において、前記表示制御部は、前記第４操作におけるスライド移動の移動量が多いほど速い速度での前記信号波形のスクロール表示を行わせる。
【００１３】
また、請求項８記載のスクロール表示方法は、回転操作における回転量でスクロール表示の際のスクロール量を指定するジョグ操作、および初期位置から離間するようにスライドさせた位置で停止させる操作における停止時間長でスクロール表示の際のスクロール量を指定するシャトル操作によって指定された前記スクロール量による電気信号の信号波形のスクロール表示を表示部に行わせるスクロール処理を実行するスクロール表示方法であって、操作パネルの操作面に接触体を接触させた状態で移動させる接触移動操作として予め決められた操作であって前記ジョグ操作の開始を示す第１操作が行われた後に前記接触体を回転移動させる当該接触移動操作としての第２操作が行われたときに当該ジョグ操作が行われたとして当該第２操作における当該接触体の移動量を前記回転量として前記スクロール処理を実行すると共に、前記接触移動操作として予め決められた操作であって前記シャトル操作の開始を示す第３操作が行われた後に前記接触体をスライド移動させて前記操作面への接触を維持したまま当該スライド移動を停止させる前記接触移動操作としての第４操作が行われたときに当該シャトル操作が行われたとして当該第４操作における当該スライド移動を停止している時間長を前記停止時間長として前記スクロール処理を実行する。
【発明の効果】
【００１４】
請求項１記載の測定装置、および請求項８記載のスクロール表示方法によれば、第１操作が行われた後に第２操作が行われたときにジョグ操作が行われたとして第２操作における接触体の移動量に応じたスクロール量でのスクロール処理を実行すると共に、第３操作が行われた後に第４操作が行われたときにシャトル操作が行われたとして第４操作におけるスライド移動を停止している時間長に応じたスクロール量でのスクロール処理を実行することにより、スクロール表示を指示するための専用の画像を用いることなくスクロール表示を行わせるができる。このため、この測定装置およびスクロール表示方法によれば、スクロール表示用の画像を表示させる必要がないため、その分、表示部における信号波形の表示スペースを十分に広く確保することができる。また、この測定装置およびスクロール表示方法によれば、操作パネルに対する接触移動操作によってジョグ操作およびシャトル操作の両方が可能なため、例えば、表示部の左側から右端部まで接触体を移動させる操作を繰り返すことなく、長い時間（大きなスクロール量）に亘る連続的なスクロール表示を行わせることができる。このため、この測定装置およびスクロール表示方法によれば、操作性を十分に向上させることができる。
【００１５】
また、請求項２記載の測定装置では、第１操作の前および第３操作の前に第５操作が行われたときには、表示部の横方向に沿った信号波形のスクロール表示を行わせ、第１操作前および第３操作前に第６操作が行われたときには、表示部の縦方向に沿った信号波形のスクロール表示を行わせる。このため、この測定装置によれば、第５操作に続く接触移動操作（第１操作および第２操作、または第３操作および第４操作）で構成される一連の操作と、第６操作に続く接触移動操作（第１操作および第２操作、または第３操作および第４操作）で構成される一連の操作とを使い分けることで、表示部の横方向に沿った信号波形のスクロール表示と、表示部の縦方向に沿った信号波形のスクロール表示とを任意に切り替えて行わせることができる結果、測定装置の利便性を一層向上させることができる。
【００１６】
また、請求項３記載の測定装置によれば、第２操作における回転移動の向きに応じてスクロール表示におけるスクロールの向き（時間が経過する方向、および時間が遡る方向）を決定することにより、例えば、ジョグ操作によって信号波形のスクロール表示を行わせて信号波形の中の所望の部分を探し出す際に、一連の接触移動操作（第５操作、第１操作および第２操作）中の第２操作における回転移動の向きを変えて、この一連の接触移動操作を繰り返すことで、その所望の部分を容易に探し出すことができるため、操作性をさらに向上させることができる。
【００１７】
また、請求項４記載の測定装置によれば、第４操作におけるスライド移動の向きに応じてスクロール表示におけるスクロールの向き（時間が経過する方向、および時間が遡る方向）を決定することにより、例えば、シャトル操作によって信号波形のスクロール表示を行わせて信号波形の中の所望の部分を探し出す際に、一連の接触移動操作（第５操作、第３操作および第４操作）中の第４操作におけるスライド移動の向きを変えて、この一連の接触移動操作を繰り返すことで、その所望の部分を容易に探し出すことができるため、操作性をさらに向上させることができる。
【００１８】
また、請求項５記載の測定装置によれば、第２操作における回転移動の移動軌跡の曲率半径が大きいほど速い速度でのスクロール表示を行わせることにより、例えば、ジョグ操作によって信号波形のスクロール表示を行わせて、長時間に亘って記録した信号波形の中の所望の部分を探し出す際には、大きな円を描くように接触体を回転移動させて高速でのスクロール表示を行わせることで、その所望の部分を素早く探し出すことができる。また、例えば、ジョグ操作によってスクロール表示を行わせつつ信号波形を観察する際には、小さな円を描くように接触体を回転移動させて低速でのスクロール表示を行わせることで、信号波形の細部まで詳細に観察することができる。このため、この測定装置によれば、操作性を一層向上させることができると共に、利便性を十分に向上させることができる。
【００１９】
また、請求項６記載の測定装置によれば、第２操作における回転移動の速度が速いほど速い速度でのスクロール表示を行わせることにより、例えば、ジョグ操作によって信号波形のスクロール表示を行わせて、長時間に亘って記録した信号波形の中の所望の部分を探し出す際には、接触体を速く回転移動させて高速でのスクロール表示を行わせることで、その所望の部分を素早く探し出すことができる。また、例えば、ジョグ操作によってスクロール表示を行わせつつ信号波形を観察する際には、接触体をゆっくりと回転移動させて低速でのスクロール表示を行わせることで、信号波形の細部まで詳細に観察することができる。このため、この測定装置によれば、操作性を一層向上させることができると共に、利便性を十分に向上させることができる。
【００２０】
また、請求項７記載の測定装置では、第４操作におけるスライド移動の移動量が大きいほど速い速度でのスクロール表示を行わせることにより、例えば、シャトル操作によって信号波形のスクロール表示を行わせて、長時間に亘って記録した信号波形の中の所望の部分を探し出す際には、大きな移動量でスライド移動させて高速でのスクロール表示を行わせることで、その所望の部分を素早く探し出すことができる。また、例えば、シャトル操作によってスクロール表示を行わせつつ信号波形を観察する際には、小さな移動量でのスライド移動を行わせて低速での信号波形のスクロール表示を行わせることで、信号波形の細部まで詳細に観察することができる。このため、この測定装置によれば、操作性を一層向上させることができると共に、利便性を十分に向上させることができる。
【図面の簡単な説明】
【００２１】
【図１】波形表示装置１の正面図である。
【図２】波形表示装置１の構成を示す構成図である。
【図３】部分波形Ｗ２の表示画面図である。
【図４】ジョグ操作によるスクロール表示の方法を説明する第１の説明図である。
【図５】ジョグ操作によるスクロール表示の方法を説明する第２の説明図である。
【図６】ジョグ操作によるスクロール表示の方法を説明する第３の説明図である。
【図７】ジョグ操作によるスクロール表示の方法を説明する第４の説明図である。
【図８】シャトル操作によるスクロール表示の方法を説明する第１の説明図である。
【図９】シャトル操作によるスクロール表示の方法を説明する第２の説明図である。
【図１０】縦スクロール表示の方法を説明する第１の説明図である。
【図１１】縦スクロール表示の方法を説明する第２の説明図である。
【図１２】縦スクロール表示の方法を説明する第３の説明図である。
【図１３】縦スクロール表示の方法を説明する第４の説明図である。
【発明を実施するための形態】
【００２２】
以下、測定装置およびスクロール表示方法の実施の形態について、添付図面を参照して説明する。
【００２３】
最初に、測定装置の一例としての波形表示装置１の構成について、図面を参照して説明する。図１に示す波形表示装置１は、同図および図２に示すように、信号処理部１１、記録部１２、表示部１３、操作部１４および制御部１５を備え、入力した電気信号Ｓｅの信号波形（後述する、全波形Ｗ１および部分波形Ｗ２）を表示可能に構成されている。また、波形表示装置１は、部分波形Ｗ２を表示させる際に、ジョグ操作およびシャトル操作によって指定されたスクロール量によるその部分波形Ｗ２のスクロール表示を行わせることが可能に構成されている。ここで、ジョグ操作とは、回転操作における回転量でスクロール表示の際のスクロール量を指定する操作をいい、シャトル操作とは、初期位置から離間するようにスライドさせた位置で停止させる操作における停止時間長でスクロール表示の際のスクロール量を指定する操作をいうものとする。
【００２４】
信号処理部１１は、制御部１５の制御に従い、電気信号Ｓｅを入力して信号処理（サンプリング処理）を行い、波形データＤｗを出力する。記録部１２は、制御部１５の制御に従い、信号処理部１１から出力された波形データＤｗを記録する。表示部１３は、一例として、液晶パネルで構成されて、制御部１５の制御に従い、電気信号Ｓｅの全波形Ｗ１（図１参照）および部分波形Ｗ２（図３参照：以下、全波形Ｗ１および部分波形Ｗ２を区別しないときには「波形Ｗ」ともいう）等を表示する。
【００２５】
操作部１４は、図１に示すように、電源スイッチ２１、モード切替えキー２２、記録開始キー２３、記録終了キー２４、波形表示キー２５、全波形表示キー２６および部分波形表示キー２７などを備えて構成され、これらに対する操作が行われたときに操作信号Ｓｏ（図２参照）を出力する。また、この波形表示装置１では、図１に示すように、透明性を有するタッチパネル２８（操作パネルの一例）が表示部１３の表面に配設されており、このタッチパネル２８の操作面（表面）に対してに指先５０（接触体の一例：図４参照）が接触されたときにも操作部１４が操作信号Ｓｏを出力する。
【００２６】
制御部１５は、操作部１４から出力される操作信号Ｓｏに従って波形表示装置１を構成する各部に対する制御や、各種の処理を実行する。具体的には、制御部１５は、信号処理部１１による信号処理を制御すると共に、記録部１２への波形データＤｗの記録や、記録部１２からの波形データＤｗの読み出しを行う。また、制御部１５は、表示制御部として機能し、表示部１３による波形Ｗ等の表示および表示停止を制御する。
【００２７】
また、制御部１５は、タッチパネル２８の操作面に対して指先５０を接触させた状態で指先５０を移動させる接触移動操作が行われたときに、その接触移動操作（具体的には、ジョグ操作またはシャトル操作として行われる接触移動操作）に応じたスクロール量による電気信号Ｓｅの部分波形Ｗ２をスクロール表示を表示部１３に行わせるスクロール処理を実行する。
【００２８】
次に、波形表示装置１を用いて電気信号Ｓｅの部分波形Ｗ２のスクロール表示を行わせるスクロール表示方法、およびその際の波形表示装置１の動作について、図面を参照して説明する。
【００２９】
まず、操作部１４のモード切替えキー２２（図１参照）を操作して、波形表示装置１を記録モードに切り替えた後に、操作部１４の記録開始キー２３（同図参照）を操作する。この際に、制御部１５が、操作部１４から出力された操作信号Ｓｏに従って信号処理部１１を制御し、信号処理部１１が、制御部１５の制御に従い、電気信号Ｓｅ（一例として、電圧信号）を信号処理して生成した波形データＤｗを出力する。
【００３０】
次いで、制御部１５は、信号処理部１１から出力された波形データＤｗを記録部１２に記録させる。続いて、電気信号Ｓｅの記録を終了する際には、操作部１４の記録終了キー２４を操作する。これに応じて、制御部１５は、信号処理部１１を制御して信号処理を停止させると共に、記録部１２を制御して波形データＤｗの記録を終了させる。
【００３１】
次に、記録部１２に記録した波形データＤｗに基づく電気信号Ｓｅの波形Ｗを表示させる。具体的には、操作部１４のモード切替えキー２２（図１参照）を操作して、波形表示装置１を波形表示モードに切り替える。次いで、例えば、記録開始時点から記録終了時点までに亘る波形データＤｗに基づく電気信号Ｓｅの全波形Ｗ１を表示部１３に表示させる際には、操作部１４の全波形表示キー２６（同図参照）を操作する。この際に、制御部１５は、操作部１４から出力された操作信号Ｓｏに従って全波形表示処理を実行する。この全波形表示処理では、制御部１５は、記録部１２から波形データＤｗを読み出す。続いて、制御部１５は、表示部１３を制御して、同図に示すように、波形データＤｗに基づく全波形Ｗ１を表示させる。
【００３２】
次いで、全波形Ｗ１の一部を拡大した部分波形Ｗ２を表示させる際には、操作部１４の部分波形表示キー２７（図１参照）を操作する。この際に、制御部１５は、操作部１４から出力された操作信号Ｓｏに従って部分波形表示処理を実行し、表示部１３を制御して、図３に示すように、記録開始時点から予め決められた時間分の部分波形Ｗ２を表示させる。
【００３３】
次に、ジョグ操作によって表示部１３の横方向（時間軸）に沿った部分波形Ｗ２のスクロール表示を行わせる方法について説明する。この方法では、図４に示すように、タッチパネル２８の操作面における波形表示領域２８ａ（同図に一点鎖線で示す領域）内の任意の位置（一例として、同図に示す位置Ｐ１）に指先５０を接触させる。続いて、図５に示すように、タッチパネル２８の操作面に対して指先５０を接触させた状態で、波形表示領域２８ａ内において、横方向（一例として、同図に示す位置Ｐ１から位置Ｐ２に向かう向き）に指先５０を直線移動させる横移動操作を行う。この場合、この横移動操作が、接触移動操作としての第５操作に相当する。
【００３４】
次いで、図５に示すように、操作面に対して指先５０を接触させた状態を維持しつつ、上記した横移動操作（第５操作）における移動方向に対して９０°をなす向き（この例では、同図に示す位置Ｐ２から位置Ｐ３に向かう上向き）に指先５０を直線移動させる上向き移動操作を横移動操作（第５操作）に連続して行う。この場合、この上向き移動操作が、接触移動操作としての第１操作に相当する。続いて、同図に示すように、操作面に対して指先５０を接触させた状態を維持しつつ、上向き移動操作（第１操作）に連続して、左回り（同図に示す矢印Ａの向きであって、一例として、位置Ｐ３から位置Ｐ４に至る渦巻き状）に指先５０を回転移動させる回転移動操作を行う。この場合、この回転移動操作が、接触移動操作としての第２操作に相当する。
【００３５】
一方、操作部１４は、上記した接触移動操作（横移動操作、上向き移動操作および回転移動操作）が行われたときに、タッチパネル２８に対する指先５０の接触位置の移動軌跡（以下、「指先５０の移動軌跡」ともいう）を特定可能な操作信号Ｓｏを出力する。また、制御部１５は、操作部１４から出力される操作信号Ｓｏに基づいて指先５０の移動軌跡を特定し、その移動軌跡に基づいてどのような操作が行われたかを特定し、さらにその操作に対応付けられた指示内容を特定する。
【００３６】
ここで、制御部１５は、横移動操作（第５操作）が行われたことを特定したときには、表示部１３の横方向に沿って部分波形Ｗ２をスクロール表示（以下、このスクロール表示を「横スクロール表示」ともいう）させる旨の指示内容を特定する。また、制御部１５は、上向き移動操作（第１操作）が行われた後に回転移動操作（第２操作）が行われたことを特定したときには、ジョグ操作が行われたことを特定する。また、制御部１５は、ジョグ操作が行われたことを特定したときには、回転移動操作（第２操作）における指先５０の移動量（指先５０の移動軌跡の長さ）を回転量として算出し、図６に示すように、その回転量に対して予め決められたスクロール量による部分波形Ｗ２のスクロール表示を表示部１３に行わせるスクロール処理を実行する。この場合、制御部１５は、回転移動操作（第２操作）において上記したように指先５０が左回りに回転移動しているときには、部分波形Ｗ２が右から左に向けて（同図に示す矢印Ｂの向きに）移動するように（つまり、時間が経過する方向（順方向）に沿って）スクロール表示を行わせる。
【００３７】
また、制御部１５は、このスクロール処理において、回転移動操作（第２操作）における指先５０の移動軌跡の曲率半径、および回転移動操作（第２操作）における指先５０の回転移動の速度を求め、曲率半径が大きければ大きいほど、また回転移動の速度が速ければ速いほど高速でのスクロール表示を行わせ、曲率半径が小さければ小さいほど、また回転移動の速度が遅ければ遅いほど低速でのスクロール表示を行わせる。
【００３８】
次に、ジョグ操作によって上記したスクロール表示におけるスクロールの向きとは逆向きでの部分波形Ｗ２の横スクロール表示を行わせるときには、図７に示すように、タッチパネル２８の操作面に指先５０を接触させた状態で、一例として、位置Ｐ５から位置Ｐ６に向かう横方向に指先５０を直線移動させる横移動操作（第５操作）を行い、横移動操作（第５操作）における移動方向に対して９０°をなす向き（この例では、位置Ｐ６から位置Ｐ７に向かう上向き）に指先５０を直線移動させる上向き移動操作（第１操作）を横移動操作（第５操作）に連続して行う。次いで、上向き移動操作（第１操作）に連続して、上記の回転移動操作（第２操作）における回転移動の向きを反転した右回り（同図に示す矢印Ｃの向きであって、一例として、位置Ｐ７から位置Ｐ８に至る渦巻き状）に指先５０を回転移動させる回転移動操作（第２操作）を行う。続いて、制御部１５が、操作部１４から出力される操作信号Ｓｏに基づく指先５０の移動軌跡の特定、移動軌跡に基づく操作の特定、および操作に対応付けられた指示内容の特定を行う。
【００３９】
この場合、制御部１５は、上記したように、横スクロール表示が指示されたことを特定すると共に、ジョグ操作が行われたことを特定する。次いで、制御部１５は、回転移動操作（第２操作）における指先５０の移動量を回転量として算出し、その回転量に対して予め決められたスクロール量による部分波形Ｗ２のスクロール表示を行わせるスクロール処理を実行する。また、制御部１５は、回転移動操作（第２操作）において指先５０が右回りに回転移動している（回転移動の向きが反転している）ため、部分波形Ｗ２が左から右に向けて（同図に示す矢印Ｄの向きに）移動するように（つまり、スクロール表示の向きを反転させて、時間が遡る方向に沿って）スクロール表示を行わせる。この場合においても、制御部１５は、スクロール処理において、回転移動操作（第２操作）における指先５０の移動軌跡の曲率半径、および回転移動操作（第２操作）における指先５０の回転移動の速度を求め、曲率半径が大きければ大きいほど、また回転移動の速度が大きければ大きいほど高速でのスクロール表示を行わせ、曲率半径が小さければ小さいほど、また回転移動の速度が遅ければ遅いほど低速でのスクロール表示を行わせる。
【００４０】
次に、シャトル操作によって表示部１３の横方向（時間軸）に沿った部分波形Ｗ２の横スクロール表示を行わせる方法について説明する。この方法では、図８に示すように、タッチパネル２８の波形表示領域２８ａ内における任意の位置（一例として、同図に示す位置Ｐ９）に指先５０を接触させ、続いて、タッチパネル２８の操作面に対して指先５０を接触させた状態で、横方向（一例として、同図に示す位置Ｐ９から位置Ｐ１０に向かう向き）に指先５０を直線移動させる横移動操作（第５操作）を行う。
【００４１】
次いで、図８に示すように、操作面に対して指先５０を接触させた状態を維持しつつ、横移動操作（第５操作）における移動方向に対して−９０°をなす向き（上記した第１操作の向きとは逆の向きであって、この例では、同図に示す位置Ｐ１０から位置Ｐ１１に向かう下向き）に指先５０を直線移動させる下向き移動操作を横移動操作（第５操作）に連続して行う。この場合、この下向き移動操作が、接触移動操作としての第３操作に相当する。続いて、同図に示すように、操作面に対して指先５０を接触させた状態を維持しつつ、下向き移動操作（第３操作）の終点（この例では位置Ｐ１１）を初期位置として、下向き移動操作（第３操作）における移動方向に対して−９０°をなす向き（一例として、同図に示す位置Ｐ１１から位置Ｐ１２に向かう横向き）に位置Ｐ１１から離間するように指先５０をスライド移動させた位置（位置Ｐ１２）でそのスライド移動を停止させる操作（以下、スライドさせる操作および停止させる操作の２つの一連の操作をまとめて「スライド停止操作」ともいう）を、下向き移動操作（第３操作）に連続して行う。この場合、このスライド停止操作が、接触移動操作としての第４操作に相当する。
【００４２】
ここで、制御部１５は、横移動操作（第５操作）が行われたことを特定したときには、横スクロール表示を行わせる旨が指示されたことを特定する。また、制御部１５は、下向き移動操作（第３操作）が行われた後にスライド停止操作（第４操作）が行われたことを特定したときには、シャトル操作が行われたことを特定する。また、制御部１５は、シャトル操作が行われたことを特定したときには、スライド停止操作（第４操作）においてスライド移動が停止している時間長を算出し、その時間長に対して予め決められたスクロール量による部分波形Ｗ２のスクロール表示を行わせるスクロール処理を実行する。この場合、制御部１５は、スライド停止操作（第４操作）において上記したように指先５０が右から左に向かってスライド移動したときには、部分波形Ｗ２が右から左に向けて（図８に示す矢印Ｂの向きに）移動するように（つまり、時間が経過する方向に沿って）スクロール表示を行わせる。
【００４３】
また、制御部１５は、このスクロール処理において、スライド停止操作（第４操作）におけるスライド移動の際の移動量（初期位置（位置Ｐ１１）からの停止位置（位置Ｐ１２）までの離間距離）を求め、移動量が大きければ大きいほど高速でのスクロール表示を行わせ、移動量が少なければ少ないほど低速でのスクロール表示を行わせる。
【００４４】
次に、シャトル操作によって上記したスクロール表示におけるスクロールの向きとは逆向きでの部分波形Ｗ２の横スクロール表示を行わせるときには、図９に示すように、タッチパネル２８の操作面に指先５０を接触させた状態で、一例として、位置Ｐ１３から位置Ｐ１４に向かう横方向に指先５０を直線移動させる横移動操作（第５操作）を行い、横移動操作（第５操作）における移動方向に対して−９０°をなす向き（この例では、位置Ｐ１４から位置Ｐ１５に向かう下向き）に指先５０を直線移動させる下向き移動操作（第３操作）を横移動操作（第５操作）に連続して行う。次いで、下向き移動操作（第３操作）の終点（この例では位置Ｐ１５）を初期位置として、下向き移動操作（第３操作）における移動方向に対して９０°をなす向き（上記のスライド停止操作（第４操作）におけるスライド移動の向きから反転した向きであって、一例として、同図に示す位置Ｐ１５から位置Ｐ１６に向かう横向き）に位置Ｐ１５から離間するように指先５０をスライド移動させた位置（位置Ｐ１６）でそのスライド移動を停止させるスライド停止操作（第４操作）を下向き移動操作（第３操作）に連続して行う。続いて、制御部１５が、操作部１４から出力される操作信号Ｓｏに基づく指先５０の移動軌跡の特定、移動軌跡に基づく操作の特定、および操作に対応付けられた指示内容の特定を行う。
【００４５】
この場合、制御部１５は、上記したように、横スクロール表示が指示されたこと特定すると共に、シャトル操作が行われたことを特定する。次いで、制御部１５は、スライド停止操作（第４操作）においてスライド移動が停止している時間長を算出し、その時間長に対して予め決められたスクロール量による部分波形Ｗ２のスクロール表示を行わせるスクロール処理を実行する。この場合、制御部１５は、スライド停止操作（第４操作）において指先５０が左から右に向かってスライド移動した（スライド移動の向きが反転している）ため、部分波形Ｗ２が左から右に向けて（図９に示す矢印Ｄの向きに）移動するように（つまり、スクロール表示の向きを反転させて、時間が遡る方向に沿って）スクロール表示を行わせる。この場合においても、制御部１５は、スクロール処理において、スライド停止操作（第４操作）におけるスライド移動の際の移動量を求め、移動量が大きければ大きいほど高速でのスクロール表示を行わせ、移動量が少なければ少ないほど低速でのスクロール表示を行わせる。
【００４６】
このように、この波形表示装置１およびスクロール表示方法によれば、第１操作（上向き移動操作）が行われた後に第２操作（回転移動操作）が行われたときにジョグ操作が行われたとして第２操作における指先５０の移動量に応じたスクロール量でのスクロール処理を実行すると共に、第３操作（下向き移動操作）が行われた後に第４操作（スライド停止操作）が行われたときにシャトル操作が行われたとして第４操作におけるスライド移動を停止している時間長に応じたスクロール量でのスクロール処理を実行することにより、スクロール表示を指示するための専用の画像を用いることなくスクロール表示を行わせるができる。このため、この波形表示装置１およびスクロール表示方法によれば、スクロール表示用の画像を表示させる必要がないため、その分、表示部１３における波形Ｗの表示スペースとしての波形表示領域２８ａを十分に広く確保することができる。また、この波形表示装置１およびスクロール表示方法によれば、タッチパネル２８に対する接触移動操作によってジョグ操作およびシャトル操作の両方が可能なため、例えば、表示部１３の左側から右端部まで指先５０を移動させる操作を繰り返すことなく、長い時間（大きなスクロール量）に亘る連続的なスクロール表示を行わせることができる。このため、この波形表示装置１およびスクロール表示方法によれば、操作性を十分に向上させることができる。
【００４７】
また、この波形表示装置１およびスクロール表示方法によれば、第２操作における回転移動の向きに応じてスクロール表示におけるスクロールの向き（時間が経過する方向、および時間が遡る方向）を決定することにより、例えば、ジョグ操作によって部分波形Ｗ２のスクロール表示を行わせて全波形Ｗ１の中の所望の部分を探し出す際に、一連の接触移動操作（第５操作、第１操作および第２操作）中の第２操作における回転移動の向きを変えて、この一連の接触移動操作を繰り返すことで、その所望の部分を容易に探し出すことができるため、操作性をさらに向上させることができる。
【００４８】
また、この波形表示装置１およびスクロール表示方法によれば、第４操作におけるスライド移動の向きに応じてスクロール表示におけるスクロールの向き（時間が経過する方向、および時間が遡る方向）を決定することにより、例えば、シャトル操作によって部分波形Ｗ２のスクロール表示を行わせて全波形Ｗ１の中の所望の部分を探し出す際に、一連の接触移動操作（第５操作、第３操作および第４操作）中の第４操作におけるスライド移動の向きを変えて、この一連の接触移動操作を繰り返すことで、その所望の部分を容易に探し出すことができるため、操作性をさらに向上させることができる。
【００４９】
また、この波形表示装置１およびスクロール表示方法によれば、第２操作における回転移動の移動軌跡の曲率半径が大きいほど速い速度でのスクロール表示を行わせることにより、例えば、ジョグ操作によって部分波形Ｗ２のスクロール表示を行わせて、長時間に亘って記録した波形データＤｗに基づく全波形Ｗ１の中の所望の部分を探し出す際には、大きな円を描くように指先５０を回転移動させて高速でのスクロール表示を行わせることで、その所望の部分を素早く探し出すことができる。また、例えば、ジョグ操作によってスクロール表示を行わせつつ部分波形Ｗ２を観察する際には、小さな円を描くように指先５０を回転移動させて部分波形Ｗ２を低速でのスクロール表示を行わせることで、部分波形Ｗ２の細部まで詳細に観察することができる。このため、この波形表示装置１およびスクロール表示方法によれば、操作性を一層向上させることができると共に、利便性を十分に向上させることができる。
【００５０】
また、この波形表示装置１およびスクロール表示方法によれば、第２操作における回転移動の速度が速いほど速い速度でのスクロール表示を行わせることにより、例えば、ジョグ操作によって部分波形Ｗ２のスクロール表示を行わせて、長時間に亘って記録した波形データＤｗに基づく全波形Ｗ１の中の所望の部分を探し出す際には、指先５０を速く回転移動させて高速でのスクロール表示を行わせることで、その所望の部分を素早く探し出すことができる。また、例えば、ジョグ操作によってスクロール表示を行わせつつ部分波形Ｗ２を観察する際には、指先５０をゆっくりと回転移動させて部分波形Ｗ２を低速でのスクロール表示を行わせることで、部分波形Ｗ２の細部まで詳細に観察することができる。このため、この波形表示装置１およびスクロール表示方法によれば、操作性を一層向上させることができると共に、利便性を十分に向上させることができる。
【００５１】
また、この波形表示装置１およびスクロール表示方法では、第４操作におけるスライド移動の移動量が大きいほど速い速度でのスクロール表示を行わせることにより、例えば、シャトル操作によって部分波形Ｗ２のスクロール表示を行わせて、長時間に亘って記録した波形データＤｗに基づく全波形Ｗ１の中の所望の部分を探し出す際には、大きな移動量でスライド移動させて高速でのスクロール表示を行わせることで、その所望の部分を素早く探し出すことができる。また、例えば、シャトル操作によってスクロール表示を行わせつつ部分波形Ｗ２を観察する際には、小さな移動量でスライド移動させて低速での部分波形Ｗ２のスクロール表示を行わせることで、部分波形Ｗ２の細部まで詳細に観察することができる。このため、この波形表示装置１およびスクロール表示方法によれば、操作性を一層向上させることができると共に、利便性を十分に向上させることができる。
【００５２】
なお、波形表示装置１の構成は上記の構成に限定されない。例えば、第１操作の前および第３操作の前に第５操作を行うことで、表示部１３の横方向に沿って部分波形Ｗ２をスクロール表示（横スクロール表示）を行わせる旨を指示する例について上記したが、例えば、表示部１３の縦方向に沿って時間軸が規定されている波形Ｗのスクロール表示を行わせる際には、表示部１３の縦方向に沿って部分波形Ｗ２のスクロール表示（縦スクロール表示）を行わせる旨を指示する第６操作を第１操作の前および第３操作の前に行い、これに応じて制御部１５が縦スクロール表示を行う構成を採用することができる。
【００５３】
この構成では、ジョグ操作によって表示部１３の縦方向に沿った部分波形Ｗ２のスクロール表示（縦スクロール表示）を行わせる際には、図１０に示すように、タッチパネル２８の操作面に指先５０を接触させた状態で、一例として、位置Ｐ１７から位置Ｐ１８に向かう縦方向に指先５０を直線移動させる縦移動操作（接触移動操作としての第６操作に相当する）を行い、縦移動操作（第６操作）における移動方向に対して９０°をなす向き（この例では、位置Ｐ１８から位置Ｐ１９に向かう左向き）に指先５０を直線移動させる左向き移動操作（接触移動操作としての第１操作に相当する）を縦移動操作（第６操作）に連続して行う。続いて、左向き移動操作（第１操作）に連続して、右回り（同図に示す矢印Ｃの向きであって、一例として、位置Ｐ１９から位置Ｐ２０に至る渦巻き状）に指先５０を回転移動させる回転移動操作（第２操作）を行う。この際に、制御部１５が、操作部１４から出力される操作信号Ｓｏに基づく指先５０の移動軌跡の特定、移動軌跡に基づく操作の特定、および操作に対応付けられた指示内容の特定を行い、例えば部分波形Ｗ２が下から上に向けて（同図に示す矢印Ｅの向きに）移動するようにスクロール表示を行わせる。
【００５４】
また、ジョグ操作によって上記したスクロール表示におけるスクロールの向きとは逆向きでの部分波形Ｗ２の縦スクロール表示を行わせるときには、図１１に示すように、タッチパネル２８の操作面に指先５０を接触させた状態で、一例として、位置Ｐ２１から位置Ｐ２２に向かう縦方向に指先５０を直線移動させる縦移動操作（第６操作）を行い、縦移動操作（第６操作）における移動方向に対して９０°をなす向き（この例では、位置Ｐ２２から位置Ｐ２３向かう左向き）に指先５０を直線移動させる左向き移動操作（第１操作）を縦移動操作（第６操作）に連続して行う。次いで、左向き移動操作（第１操作）に連続して、左回り（同図に示す矢印Ａの向きであって、一例として、位置Ｐ２３から位置Ｐ２４に至る渦巻き状）に指先５０を回転移動させる回転移動操作（第２操作）を行う。続いて、制御部１５が、操作部１４から出力される操作信号Ｓｏに基づく指先５０の移動軌跡の特定、移動軌跡に基づく操作の特定、および操作に対応付けられた指示内容の特定を行い、例えば部分波形Ｗ２が上から下に向けて（同図に示す矢印Ｆの向きに）移動するようにスクロール表示を行わせる。
【００５５】
さらに、シャトル操作によって表示部１３の縦方向に沿って部分波形Ｗ２の縦スクロール表示を行わせる際には、図１２に示すように、タッチパネル２８の操作面に指先５０を接触させた状態で、一例として、位置Ｐ２５から位置Ｐ２６に向かう縦方向に指先５０を直線移動させる縦移動操作（第６操作）を行い、縦移動操作（第６操作）における移動方向に対して−９０°をなす向き（この例では、位置Ｐ２６から位置Ｐ２７向かう右向き）に指先５０を直線移動させる右向き移動操作（接触移動操作としての第３操作に相当する）を縦移動操作（第６操作）に連続して行う。次いで、右向き移動操作（第３操作）の終点（この例では位置Ｐ２７）を初期位置として、右向き移動操作（第３操作）における移動方向に対して９０°をなす向き（一例として、同図に示す位置Ｐ２７から位置Ｐ２８に向かう上向き）に位置Ｐ２７から離間するように指先５０をスライド移動させた位置（位置Ｐ２８）でそのスライド移動を停止させるスライド停止操作（第４操作）を右向き移動操作（第３操作）に連続して行う。続いて、制御部１５が、操作部１４から出力される操作信号Ｓｏに基づく指先５０の移動軌跡の特定、移動軌跡に基づく操作の特定、および操作に対応付けられた指示内容の特定を行い、例えば部分波形Ｗ２が下から上に向けて（同図に示す矢印Ｅの向きに）移動するようにスクロール表示を行わせる。
【００５６】
また、シャトル操作によって上記したスクロール表示におけるスクロールの向きとは逆向きでの部分波形Ｗ２の縦スクロール表示を行わせるときには、図１３に示すように、タッチパネル２８の操作面に指先５０を接触させた状態で、一例として、位置Ｐ２９から位置Ｐ３０に向かう縦方向に指先５０を直線移動させる縦移動操作（第６操作）を行い、縦移動操作（第６操作）における移動方向に対して−９０°をなす向き（この例では、位置Ｐ３０から位置Ｐ３１向かう左向き）に指先５０を直線移動させる右向き移動操作（第３操作）を縦移動操作（第６操作）に連続して行う。次いで、右向き移動操作（第３操作）の終点（この例では位置Ｐ３１）を初期位置として、右向き移動操作（第３操作）における移動方向に対して−９０°をなす向き（一例として、同図に示す位置Ｐ３１から位置Ｐ３２に向かう下向き）に位置Ｐ３１から離間するように指先５０をスライド移動させた位置（位置Ｐ３２）でそのスライド移動を停止させるスライド停止操作（第４操作）を右向き移動操作（第３操作）に連続して行う。続いて、制御部１５が、操作部１４から出力される操作信号Ｓｏに基づく指先５０の移動軌跡の特定、移動軌跡に基づく操作の特定、および操作に対応付けられた指示内容の特定を行い、例えば部分波形Ｗ２が上から下に向けて（同図に示す矢印Ｆの向きに）移動するようにスクロール表示を行わせる。
【００５７】
このように、この波形表示装置１およびスクロール表示方法では、第１操作の前および第３操作の前に第５操作が行われたときには、表示部１３の横方向に沿った部分波形Ｗ２のスクロール表示を行わせ、第１操作前および第３操作前に第６操作が行われたときには、表示部１３の縦方向に沿って部分波形Ｗ２のスクロール表示を行わせる。このため、この波形表示装置１およびスクロール表示方法によれば、第５操作に続く接触移動操作（第１操作および第２操作、または第３操作および第４操作）で構成される一連の操作と、第６操作に続く接触移動操作（第１操作および第２操作、または第３操作および第４操作）で構成される一連の操作とを使い分けることで、表示部１３の横方向に沿った部分波形Ｗ２のスクロール表示と、表示部１３の縦方向に沿った部分波形Ｗ２のスクロール表示とを任意に切り替えて行わせることができる結果、波形表示装置１の利便性を一層向上させることができる。
【００５８】
また、１本の直線的を描くように指先５０を移動させる接触移動操作を第１操作および第３操作とした例について上記したが、例えば、三角形を描くように指先５０を移動させる接触移動操作を第１操作としたり、多角形（例えば四角形）を描くように指先５０を移動させる接触移動操作を第３操作としたりすることができる。また、第５操作における移動方向と第１操作における移動方向とのなす角度、第５操作における移動方向と第３操作における移動方向とのなす角度、第３操作における移動方向と第４操作における移動方向とのなす角度、第６操作における移動方向と第１操作における移動方向とのなす角度、第６操作における移動方向と第３操作における移動方向とのなす角度を、それぞれ９０°または−９０°（つまり直角）に規定した例について上記したが、これらの角度は任意に規定することができる。
【００５９】
また、タッチパネル２８を表示部１３に配設した例について上記したが、例えば、表示部１３の配設位置から離間した位置にタッチパネル２８を配設する構成を採用することもできる。また、波形表示装置１とは別体のタッチパネル２８を備えた構成を採用することもできる。この場合、波形表示装置１とは別体のタッチパネル２８を備えているときには、表示部１３を別体とした構成や、表示部１３を備えていない（つまり、外部の表示部に波形Ｗの表示を行わせる）構成を採用することもできる。また、接触体としての指先５０でタッチパネル２８に対する移動操作を行う例について上記したが、接触体としてのタッチペンで移動操作を行うこともできる。
【００６０】
また、電気信号Ｓｅとしての電圧信号の波形Ｗを表示する例について上記したが、電流信号や、温度を示す電気信号など、各種の電気信号Ｓｅの波形を表示する際に適用することができるのは勿論である。また、１つ（１種類）の波形Ｗだけを表示部１３に描画する例について上記したが、２つ（２種類）以上の波形Ｗを表示部１３に同時に描画する構成を採用することもできる。
【符号の説明】
【００６１】
１  波形表示装置
１３  表示部
１４  操作部
１５  制御部
２８  タッチパネル
Ｓｅ  電気信号
Ｗ１  全波形
Ｗ２  部分波形
【図１】
2012141158.tif 000003
【図２】
2012141158.tif 000004
【図３】
2012141158.tif 000005
【図４】
2012141158.tif 000006
【図５】
2012141158.tif 000007
【図６】
2012141158.tif 000008
【図７】
2012141158.tif 000009
【図８】
2012141158.tif 000010
【図９】
2012141158.tif 000011
【図１０】
2012141158.tif 000012
【図１１】
2012141158.tif 000013
【図１２】
2012141158.tif 000014
【図１３】
2012141158.tif 000015